(57)【要約】【課題】脱ぎ履きし易く、歩行時には足との一体感が高まって脱げ難くなる履物を提供する。【解決手段】本発明は、足５０が載置される底部２と、足５０の甲５４を覆う変形可能な甲被覆部３と、甲被覆部３を牽引して足５０の踵５２に掛け回される牽引体４とを備える。牽引体４は、それが足５０の踵５２に掛け回される際に甲被覆部３を引張って足５０の甲５４に当て付けるように甲被覆部３に接続される。【選択図】図２
2012245291.tif 000002
【特許請求の範囲】
【請求項１】
足が載置される底部と、足の甲を覆う変形可能な甲被覆部と、該甲被覆部を牽引して足の踵に掛け回される牽引体とを備え、前記牽引体は、それが足の踵に掛け回される際に前記甲被覆部を引張って足の甲に当て付けるように前記甲被覆部に接続されることを特徴とする履物。
【請求項２】
前記甲被覆部にはその周長変化を許容する切り欠きが設けられることを特徴とする請求項１に記載の履物。
【請求項３】
前記甲被覆部は個別に変形可能な２つの被覆体を有し、前記牽引体の両端がそれぞれ対応する別個の被覆体に接続されることを特徴とする請求項１または請求項２に記載の履物。
【請求項４】
前記甲被覆部は、被覆本体と、該被覆本体の内周面に接続されて足の甲を押圧するための押圧体とから成り、前記牽引体の両端が前記押圧体に接続されることを特徴とする請求項１または請求項２に記載の履物。
【発明の詳細な説明】
【技術分野】
【０００１】
本発明は履物に関する。
【背景技術】
【０００２】
一般に、サンダルやスリッパ等の履物は、図８に示されるように、足５０が載置されて足裏５６と直接に接触する底部１０２（場合により、足裏５６と接触する中敷部材と、地面または床面と接触する底部材とから成る）と、底部１０２の前側に設けられて足５０の甲５４および足先を包み込むように形成される甲被覆部１０３とから成る簡略的な構造を成しており、風通しが良く手軽に履けるという利点がある。
【０００３】
しかしながら、その一方で、このような底部１０２と甲被覆部１０３とから成る簡略的な履物１００は、脱げ易いという側面もある。すなわち、この種の履物１００の甲被覆部１０３は、一般に脱ぎ履きし易くするために平均的な人の足の甲サイズよりも大きく形成されており、そのため、足５０の甲５４と甲被覆部１０３の内周面との間に隙間１１０が存在する。したがって、歩行時には、前記隙間１１０に起因して、図８の（ｂ）に示されるように足裏５６が底部１０２から離れて足５０の踵５２と底部１０２との間に隙間１１５が生じ、歩き難かったり、歩行時にパタパタと音をたてる場合がある。とりわけ、小走りのような比較的激しい動きをする場合には、前記隙間１１５に起因して履物が脱げてしまうこともある。そのため、例えば特許文献１ないし特許文献３に開示される履物は、足の踵に掛け回される紐あるいは足の踵を背後から覆う伸縮性のバンド等を設けることにより足の踵を固定し、足裏５６が底部１０２から離れることを抑制するようにしている。
【先行技術文献】
【特許文献】
【０００４】
【特許文献１】特開２０００−０７０００６号
【特許文献２】特開２０１０−２６４２０９号
【特許文献３】特許第４６７１３９５号
【発明の概要】
【発明が解決しようとする課題】
【０００５】
しかしながら、紐やバンド等によって踵を固定しても、足裏５６が底部１０２から離れることを完全に防止できるとは言い難い。これは、足５０の甲５４と甲被覆部１０３の内周面との間に依然として隙間１１０が存在するためであり、この隙間に伴って上下に遊度がある限り、歩行時に底部１０２上で足がばたつくことは避けられない。しかしながら、一方で、隙間１１０は、甲被覆部１０３の開口を大きく保って足を甲被覆部１０３に挿入し易くする（履き易くする）という側面もある。つまり、図８に示されるようなタイプの履物では、脱ぎ履きするときには隙間１１０が存在した方がよく、逆に、歩行時には隙間１１０が存在しない方がよい。
【０００６】
本発明は、上記した問題に着目してなされたものであり、脱ぎ履きし易く、歩行時には足との一体感が高まって脱げ難くなる履物を提供することを目的とする。
【課題を解決するための手段】
【０００７】
上記した目的を達成するために、本発明の履物は、足が載置される底部と、足の甲を覆う変形可能な甲被覆部と、該甲被覆部を牽引して足の踵に掛け回される牽引体とを備え、前記牽引体は、それが足の踵に掛け回される際に前記甲被覆部を引張って足の甲に当て付けるように前記甲被覆部に接続されることを特徴とする。
【０００８】
上記構成によれば、牽引体を引張らない状態では、甲被覆部の内側（足の甲と甲被覆部の内周面との間）に隙間を残しておくことができ、したがって、履物の脱ぎ履きを容易に行なうことができる。また、甲被覆部に足を差し入れて牽引体を足の踵に掛け回すと、甲被覆部が牽引体により引張られて足の甲に当て付くため、甲被覆部の隙間が無くなるとともに、甲被覆部による押圧力によって足裏が履物の底部に押し付けられる。また、同時に、踵に掛け回される牽引体は、足が履物の後方へずれることを防止するとともに、踵を履物の底部に固定する。つまり、甲被覆部による下向きの押圧力と踵が牽引体から受ける下向きの反力とによって足首の前後が履物の底部へ引き寄せられて足裏が履物の底部に強固に密着するため、歩行時には履物と足との一体感が高まり、足裏が底部から離れ難くなる（履物が脱げ難くなる）。
【０００９】
なお、上記構成において、甲被覆部にはその周長変化を許容する切り欠きが設けられることが好ましい。これにより、甲被覆部の変形がし易くなり、甲被覆部と足の甲との密着性が高まる。また、上記構成では、甲被覆部が個別に変形可能な２つの被覆体を有し、牽引体の両端がそれぞれ対応する別個の被覆体に接続されてもよい。この場合、２つの被覆体が甲被覆部の両側に分かれて前後に位置されれば、甲被覆部によって足の甲を両側から締め付けることも可能になり、足と履物との一体感（密着性）を更に高めることができる。また、上記構成において、甲被覆部は、被覆本体と、該被覆本体の内周面に接続されて足の甲を押圧するための押圧体とから成り、牽引体の両端が押圧体に接続されてもよい。これにより、足の甲を局所的に効率良く押圧できるとともに、牽引体に加えるべき牽引力が軽くなる。また、上記構成においては、前述したように、牽引体を引張らない状態で、甲被覆部の内側（足の甲と甲被覆部の内周面との間）に隙間を残しておくことができるが、その場合、履口が潰れないように自立した構造を成すことが好ましい。そのようにすれば、突っ掛け履きがし易くなる。
【発明の効果】
【００１０】
本発明によれば、脱ぎ履きし易く、歩行時には足との一体感が高まって脱げ難くなる履物を提供できる。
【図面の簡単な説明】
【００１１】
【図１】本発明の第１の実施形態に係る履物であり、（ａ）は牽引体を引張らない状態の斜視図、（ｂ）は牽引体を引張って甲被覆部を底部側に引き寄せた状態の斜視図である。
【図２】足を甲被覆部内に差し入れて牽引体を足の踵に掛け回した状態の側面図である。
【図３】本発明の第２の実施形態に係る履物であり、（ａ）は牽引体を引張らない状態の履物の斜視図、（ｂ）は牽引体を引張らない状態の履物の平面図である。
【図４】本発明の第３の実施形態に係る履物であり、（ａ）は牽引体を引張らない状態の履物の斜視図、（ｂ）は足を甲被覆部内に差し入れて牽引体を足の踵に掛け回した状態の側面図、（ｃ）は牽引体による牽引に伴う甲被覆部の変形を模式的に示す正面図である。
【図５】本発明の第４の実施形態に係る履物であり、（ａ）は牽引体を引張らない状態の履物の斜視図、（ｂ）は該履物に設けられる押圧体の斜視図である。
【図６】本発明の第５の実施形態に係る履物であり、足を甲被覆部内に差し入れて牽引体を足の踵に掛け回した状態の側面図である。
【図７】本発明の第６の実施形態に係る履物であり、（ａ）は牽引体を踵保持カバーと共に引張って甲被覆部を底部側に引き寄せた状態の斜視図、（ｂ）は踵保持カバーの概略側面図である。
【図８】（ａ）は従来の履物を履いた状態の側面図、（ｂ）は（ａ）の履物を履いて歩いている状態の側面図である。
【発明を実施するための形態】
【００１２】
以下、図面を参照して、本発明の実施形態について具体的に説明する。  
図１〜図３は本発明の第１の実施形態を示している。図示のように、本実施形態の履物１は、足５０が載置されて足裏５６と直接に接触する底部２と、底部２の前側に設けられて足５０の甲５４および足先を包み込むように形成される甲被覆部３とから成る。底部２は、ポリウレタン、ポリエチレン等の合成樹脂または合成ゴム等によって形成されており、例えば、足裏５６と接触する中敷部材と、地面または床面と接触する底部材とから成っていてもよい。また、甲被覆部３は、足の先端側を挿入できる略ドーム状の空間Ｓを内側に形成して甲５４および足先を覆うようになっており、底部２と一体に接続されるとともに、変形可能な材料、例えばポリウレタン、ポリエチレン等の合成樹脂、または、ポリウレタン、ポリエチレン、ＥＶＡ等の発泡性合成樹脂、あるいは、合成ゴム、合成皮革等によって形成される。
【００１３】
なお、本実施形態において、甲被覆部３は、その開口縁部から前方へ延びる切り欠き５を両側に有しており、これらの切り欠き５は、甲被覆部３の周長変化（変形）を許容するようになっている。また、切り欠き５を通じて甲被覆部３内に異物が侵入するのを防止するため、切り欠き５にはこれを塞ぐように伸縮性のカバー（図示せず）が取着されてもよい。また、本実施形態において、甲被覆部３は、足５０の甲５４および足先を含めて足の前方側全体を覆っているが、足先を露出させるように甲５４だけを覆ってもよい。
【００１４】
また、本実施形態の履物１は、甲被覆部３を牽引して足の踵５２に掛け回される牽引体４を備える。この牽引体４は、紐状部材として形成されており、それが足５０の踵５２に掛け回される際に甲被覆部３を引張って足５０の甲５４に当て付けるようにその両端が甲被覆部３の両側に接続されている。具体的には、牽引体４は、一方では、その両端部が、甲被覆部３の開口縁部近傍の両側下端縁に設けられる筒部（布材等により形成される）６を挿通して切り欠き５を横切って上方に延び、両側の切り欠き部５によって片持ち梁状に延びる甲被覆部３の舌片３ａの両側に接続される。また、牽引体４は、他方では、両筒部６から下方へ抜け出て履物１の後側へとループ状に延びている。なお、牽引体４は、甲被覆部３を足５０の甲５４に当て付けることができる牽引力を生起できる限りにおいて全体または一部が伸縮性を有していてもよい。例えば、牽引体４は、合成繊維を編み込んだもの、ポリウレタ等の合成樹脂、合成ゴム、または、これらの任意の組み合わせから形成することができる。
【００１５】
牽引体４を引張らない状態が図１の（ａ）に示され、牽引体４を引張って甲被覆部３を底部２側に引き寄せた状態が図１の（ｂ）に示されている。牽引体４を引張らない状態（図１の（ａ）の状態）では、甲被覆部３の内側（甲被覆部３の内周面と足５０の甲５４との間）に隙間を残しておくことができ、したがって、履物１の脱ぎ履きを容易に行なうことができる。また、図２に示されるように甲被覆部３に足５０を差し入れて牽引体４を足５０の踵５２に掛け回すと、甲被覆部３が牽引体４により引張られて（図中の矢印ａ，ｂ参照）足５０の甲５４に当て付くため、甲被覆部３の隙間が無くなるとともに、甲被覆部３による押圧力Ｆ１によって足裏５６が履物１の底部２に押し付けられる。また、同時に、踵５２に掛け回される牽引体４は、足５０が履物１の後方へずれることを防止するとともに、踵５２を履物１の底部２に固定する。つまり、甲被覆部３による下向きの押圧力Ｆ１と踵５２が牽引体４から受ける下向きの反力Ｆ２とによって足首５８の前後が履物１の底部２へＶ字状に引き寄せられて足裏５６が履物１の底部２に強固に密着するため、歩行時には履物１と足５０との一体感が高まり、足裏５６が底部２から離れ難くなる（履物１が脱げ難くなる）。また、この場合、甲被覆部３にはその周長変化を許容する切り欠き５が設けられているため、甲被覆部３が変形し易く、甲被覆部３と足５０の甲５４との密着性が高まる。
【００１６】
このように、本実施形態によれば、脱ぎ履きし易く、歩行時には足との一体感が高まって脱げ難くなる履物１を提供できる。
【００１７】
図３は本発明の第２の実施形態を示している。図示のように、本実施形態の履物１Ａの甲被覆部３Ａは個別に変形可能な２つの被覆体３Ａａ，３Ａｂを有しており、牽引体４の両端がそれぞれ対応する別個の被覆体３Ａａ，３Ａｂに接続されている。具体的には、甲被覆部３Ａは、その開口縁部から前方へと延びる開放部１２を上部中央に有しており、この開放部１２の両側にはそれぞれ互いに前後に位置して開放部１２を横切るように片持ち梁状に延びる舌片状の被覆体３Ａａ，３Ａｂが甲被覆部３Ａと一体に形成されている。そして、牽引体４の一端が一方の被覆体３Ａａに対して接続部９で接続され、牽引体４の他端が他方の被覆体３Ａｂに対して接続部９で接続される。なお、それ以外の構成は第１の実施形態と同一である。
【００１８】
したがって、このような実施形態の構成では、甲被覆部３によって足５０の甲５４を両側から締め付けることが可能となり、足５０と履物１との一体感（密着性）を更に高めることができる。
【００１９】
図４は本発明の第３の実施形態を示している。本実施形態の履物１Ｂは、第１の実施形態の筒部６が甲被覆部３の開口縁部の略全体にわたって延び、筒部６内に牽引体４が挿通された構成となっている。すなわち、牽引体４が途切れのない閉ループを成して甲被覆部３の開口縁部の略全体にわたって延びた構成となっている。この場合、切り欠き５は存在しなくてもよい。そのような場合であっても、牽引体４が甲被覆部３の開口縁部の略全体にわたって延びるため、牽引体４を引張る（牽引体４を引張らない状態では、図４の（ｂ）に二点鎖線で示されるように、牽引体４は収縮状態にある）ことにより図４の（ｃ）に示されるように甲被覆部３を内側に十分に変形させる（底部２側に引き寄せる）ことができる（図４の（ｃ）には、牽引体４を引張っていない状態の甲被覆部３が二点破線で示され、牽引体４を引張った状態の甲被覆部３が実線で示されている）。また、本実施形態では、甲被覆部３の変形を容易にするため、甲被覆部３が伸縮性を有する生地によって形成されることが好ましい。なお、それ以外の構成は第１の実施形態と同一である。
【００２０】
図５は本発明の第４実施形態を示している。図示のように、本実施形態の履物１Ｃの甲被覆部３は、足５０の甲５４および足先を包み込むように形成される被覆本体３ａと、被覆本体３ａの内周面の上部中央に接続されて足５０の甲５４を押圧するための押圧体３ｂとから成る。この場合、押圧体３ｂは、その前端が被覆本体３ａの内周面に接続固定されており、この接続固定部３０から後方へ向けて片持ち梁状に延びている。そして、この押圧体３ｂの後端部の両側に牽引体４のそれぞれの端部が接続されている。また、牽引体４が挿通される筒部６は、前述した実施形態では甲被覆部３の外面に設けられていたが、本実施形態では、牽引体４と接続する押圧体３ｂが甲被覆部３の内側に設けられていることから甲被覆部３の内面に設けられている。なお、それ以外の構成は第１の実施形態と同一である。
【００２１】
したがって、このような実施形態の構成では、押圧体３ｂによって足５０の甲５４を局所的に効率良く押圧できるとともに、牽引体４に加えるべき牽引力が軽くなる。
【００２２】
図６は本発明の第５実施形態を示している。図示のように、本実施形態の履物１Ｂ’は、図４に示される第２の実施形態の構成に加えて、筒部６の両端部に、牽引体４が掛け回される滑車４０を備えている。このような滑車４０を設けると、滑車４０によって牽引力を効果的な方向（甲被覆部３を効果的かつ効率的に変形させることができる方向）で作用させることができ、有益である。なお、滑車４０は第１ないし第４の実施形態の全てに適用できる。
【００２３】
図７は本発明の第６実施形態を示している。図示のように、本実施形態の履物１Ｄは、足５０の踵５２を後側から保持する布生地等（例えば、クロロプレン材）から成る踵保持カバー７０を更に備えている。この踵保持カバー７０にはその上縁の全体にわたって牽引体４が通されており、牽引体４を引張らない状態では、図７の（ｂ）に二点鎖線で示されるように牽引体４と共に倒伏されて底部２上に載置された状態となる（矢印参照）。この状態から、履物１Ｄを履く場合には、甲被覆部３に足５０を差し入れながら牽引体４を踵保持カバー７０と共に引張って図７の（ａ）に示されるように踵保持カバー７０を引き起こせばよい。それにより、足５０の踵５２が後側から踵保持カバー７０によって保持されるとともに、前述したように甲被覆部３が足５０の甲５４に当て付くため、足５０が履物１Ｄと密着して一体化する。なお、本実施形態では、牽引体４が踵保持カバー７０の上縁の全体にわたって通されているが、牽引体４を踵保持カバー７０に通すことなく踵保持カバー７０の両側に接続するだけでもよい。
【符号の説明】
【００２４】
１，１Ａ，１Ｂ，１Ｂ’，１Ｃ  履物
２  底部
３  甲被覆部
３ａ  被覆本体
３ｂ  押圧体
３Ａａ，３Ａｂ  被覆体
４  牽引体
５  切り欠き
５０  足
５２  踵
５４  甲
【図１】
2012245291.tif 000003
【図２】
2012245291.tif 000004
【図３】
2012245291.tif 000005
【図４】
2012245291.tif 000006
【図５】
2012245291.tif 000007
【図６】
2012245291.tif 000008
【図７】
2012245291.tif 000009
【図８】
2012245291.tif 000010